(57)【特許請求の範囲】
【請求項１】
レールに移動可能に支持されたランナーに日射遮蔽材を吊下支持し、レールの両端に取着される移送装置にそれぞれプーリーを回転可能に支持し、前記プーリー間に無端状のベルトを掛装して該プーリーの回転に基づいて前記レール内で前記ベルトを移送可能とし、前記移送装置の少なくともいずれかにモーターユニットを取着して前記プーリーを回転駆動し、前記プーリーの回転に基づいて移送される前記ベルトで前記ランナーを前記レールに沿って移送する電動日射遮蔽装置の遮蔽材移送装置において、
前記移送装置のケースに設けられた軸部に１つのベアリングを介して前記プーリーを回転可能に支持し、前記プーリーの軸方向一側に設けられたフランジと、前記プーリーの軸方向他側に配設されるスリーブとで前記ベルトを前記プーリーの軸方向に移動不能に支持し、前記ケースには前記ベルトを前記プーリーに掛装される位置に案内する案内壁を備え、
前記スリーブを、前記ケースの開口部を覆うケースプレートと前記プーリーとの間に支持したことを特徴とする電動日射遮蔽装置の遮蔽材移送装置。
【請求項２】
レールに移動可能に支持されたランナーに日射遮蔽材を吊下支持し、レールの両端に取着される移送装置にそれぞれプーリーを回転可能に支持し、前記プーリー間に無端状のベルトを掛装して該プーリーの回転に基づいて前記レール内で前記ベルトを移送可能とし、前記移送装置の少なくともいずれかにモーターユニットを取着して前記プーリーを回転駆動し、前記プーリーの回転に基づいて移送される前記ベルトで前記ランナーを前記レールに沿って移送する電動日射遮蔽装置の遮蔽材移送装置において、
前記移送装置のケースに設けられた軸部に１つのベアリングを介して前記プーリーを回転可能に支持し、前記プーリーの軸方向一側に設けられたフランジと、前記プーリーの軸方向他側に配設されるスリーブとで前記ベルトを前記プーリーの軸方向に移動不能に支持し、前記ケースには前記ベルトを前記プーリーに掛装される位置に案内する案内壁を備え、
前記プーリーの前記スリーブとの対向面には、前記プーリーの回転中心を中心とし、前記スリーブと線接触で当接する円形の突条を備えたことを特徴とする電動日射遮蔽装置の遮蔽材移送装置。
【請求項３】
レールに移動可能に支持されたランナーに日射遮蔽材を吊下支持し、レールの両端に取着される移送装置にそれぞれプーリーを回転可能に支持し、前記プーリー間に無端状のベルトを掛装して該プーリーの回転に基づいて前記レール内で前記ベルトを移送可能とし、前記移送装置の少なくともいずれかにモーターユニットを取着して前記プーリーを回転駆動し、前記プーリーの回転に基づいて移送される前記ベルトで前記ランナーを前記レールに沿って移送する電動日射遮蔽装置の遮蔽材移送装置において、
前記移送装置のケースに設けられた軸部に１つのベアリングを介して前記プーリーを回転可能に支持し、前記プーリーの軸方向一側に設けられたフランジと、前記プーリーの軸方向他側に配設されるスリーブとで前記ベルトを前記プーリーの軸方向に移動不能に支持し、前記ケースには前記ベルトを前記プーリーに掛装される位置に案内する案内壁を備え、
前記フランジと前記スリーブの直径を、前記プーリーに掛装されるベルトの外径より大きくし、
前記プーリーと前記フランジとを一体で構成したことを特徴とする電動日射遮蔽装置の遮蔽材移送装置。
【請求項４】
前記レールの両端に、共通の遮蔽材移送装置を前記レールの長手方向の中心に対し線対称状に取着したことを特徴とする請求項１乃至３のいずれか１項に記載の電動日射遮蔽装置の遮蔽材移送装置。
【請求項５】
前記レールの一端に配設される前記プーリーの入力軸に、モーターユニットの出力軸を嵌合したことを特徴とする請求項４記載の電動日射遮蔽装置の遮蔽材移送装置。
【発明の詳細な説明】
【技術分野】
【０００１】
この発明は、モーターの駆動力でカーテン生地あるいは縦型ブラインドのスラット等の日射遮蔽材を移送する電動日射遮蔽装置に関するものである。
【背景技術】
【０００２】
電動カーテンの一種類として、カーテンレール内に移送用ベルトを移動可能に支持し、カーテンレールの一端に取着されたモーターの駆動力で移送用ベルトを移動させることにより、先頭ランナーを移動させて、カーテン生地の引き出し操作及び畳み込み操作を行うようにしたものがある。
【０００３】
特許文献１及び特許文献２には、ベルトが掛装されて、ベルトの移動とともに回転するプーリーが開示されている。
【先行技術文献】
【特許文献】
【０００４】
【特許文献１】欧州特許出願公開第０４５６６１９号明細書
【特許文献２】欧州特許出願公開第１３１６２８１号明細書
【発明の概要】
【発明が解決しようとする課題】
【０００５】
上記のような電動カーテンでは、モーターの駆動力で回転されるプーリーに移送用ベルトが掛装されている。そして、モーターの駆動力で先頭ランナーを安定して移送するためには、プーリーに対する移送用ベルトの位置ずれを防止して、移送用ベルトを円滑に移送する必要がある。
【０００６】
特許文献１には、プーリーの外周面の周方向に突起を等間隔に設け、その突起をベルトに等間隔に設けた透孔に順次係合することにより、プーリーとベルトとの位置ずれを防止する構成が開示されている。
【０００７】
しかし、突起と透孔の周縁との摩擦によりプーリーに作用する負荷が増大するとともに、騒音を発生させる原因となる。
特許文献２には、歯車状のプーリーに対し移送用ベルトを掛装してモーターの駆動力を伝達する構成が開示されている。
【０００８】
しかし、移送用ベルトがプーリーの回転軸方向に位置ずれして、プーリーの回転が移送用ベルトに円滑に伝達されなくなる可能性がある。
この発明の目的は、ランナーを移送するための移送用ベルトに、モーターの駆動力を円滑に、かつ安定して伝達し得る電動日射遮蔽装置の遮蔽材移送装置を提供することにある。
【課題を解決するための手段】
【０００９】
請求項１では、レールに移動可能に支持されたランナーに日射遮蔽材を吊下支持し、レールの両端に取着される移送装置にそれぞれプーリーを回転可能に支持し、前記プーリー間に無端状のベルトを掛装して該プーリーの回転に基づいて前記レール内で前記ベルトを移送可能とし、前記移送装置の少なくともいずれかにモーターユニットを取着して前記プーリーを回転駆動し、前記プーリーの回転に基づいて移送される前記ベルトで前記ランナーを前記レールに沿って移送する電動日射遮蔽装置の遮蔽材移送装置において、前記移送装置のケースに設けられた軸部に１つのベアリングを介して前記プーリーを回転可能に支持し、前記プーリーの軸方向一側に設けられたフランジと、前記プーリーの軸方向他側に配設されるスリーブとで前記ベルトを前記プーリーの軸方向に移動不能に支持し、前記ケースには前記ベルトを前記プーリーに掛装される位置に案内する案内壁を備えた。
【００１０】
請求項１では、さらに、前記スリーブを、前記ケースの開口部を覆うケースプレートと前記プーリーとの間に支持した。
請求項２では、レールに移動可能に支持されたランナーに日射遮蔽材を吊下支持し、レールの両端に取着される移送装置にそれぞれプーリーを回転可能に支持し、前記プーリー間に無端状のベルトを掛装して該プーリーの回転に基づいて前記レール内で前記ベルトを移送可能とし、前記移送装置の少なくともいずれかにモーターユニットを取着して前記プ
ーリーを回転駆動し、前記プーリーの回転に基づいて移送される前記ベルトで前記ランナーを前記レールに沿って移送する電動日射遮蔽装置の遮蔽材移送装置において、前記移送装置のケースに設けられた軸部に１つのベアリングを介して前記プーリーを回転可能に支持し、前記プーリーの軸方向一側に設けられたフランジと、前記プーリーの軸方向他側に配設されるスリーブとで前記ベルトを前記プーリーの軸方向に移動不能に支持し、前記ケースには前記ベルトを前記プーリーに掛装される位置に案内する案内壁を備え、前記プーリーの前記スリーブとの対向面には、前記プーリーの回転中心を中心とし、前記スリーブと線接触で当接する円形の突条を備えた。
【００１１】
請求項３では、レールに移動可能に支持されたランナーに日射遮蔽材を吊下支持し、レールの両端に取着される移送装置にそれぞれプーリーを回転可能に支持し、前記プーリー間に無端状のベルトを掛装して該プーリーの回転に基づいて前記レール内で前記ベルトを移送可能とし、前記移送装置の少なくともいずれかにモーターユニットを取着して前記プーリーを回転駆動し、前記プーリーの回転に基づいて移送される前記ベルトで前記ランナーを前記レールに沿って移送する電動日射遮蔽装置の遮蔽材移送装置において、前記移送装置のケースに設けられた軸部に１つのベアリングを介して前記プーリーを回転可能に支持し、前記プーリーの軸方向一側に設けられたフランジと、前記プーリーの軸方向他側に配設されるスリーブとで前記ベルトを前記プーリーの軸方向に移動不能に支持し、前記ケースには前記ベルトを前記プーリーに掛装される位置に案内する案内壁を備え、前記フランジと前記スリーブの直径を、前記プーリーに掛装されるベルトの外径より大きくし、前記プーリーと前記フランジとを一体で構成した。
請求項４では、前記レールの両端に、共通の遮蔽材移送装置を前記レールの長手方向の中心に対し線対称状に取着した。
【００１２】
請求項５では、前記レールの一端に配設される前記プーリーの入力軸に、モーターユニットの出力軸を嵌合した。
【発明の効果】
【００１３】
本発明によれば、ランナーを移送するための移送用ベルトに、モーターの駆動力を円滑に、かつ安定して伝達し得る電動日射遮蔽装置の遮蔽材移送装置を提供することができる。
【図面の簡単な説明】
【００１４】
【図１】電動カーテンを示す正面図である。
【図２】移送装置を示す分解斜視図である。
【図３】移送装置示す断面図である。
【図４】カバーを取り外した状態の移送装置を示す底面図である。
【図５】フックを示す斜視図である。
【図６】フックの使用状態を示す正面図である。
【図７】フックの使用状態を示す平面図である。
【図８】移送装置を示す底面図である。
【図９】モーターユニットを示す断面図である。
【図１０】モーターブラケットを示す斜視図である。
【図１１】モーターユニットを示す平面図である。
【図１２】ストッパー装置を示す断面図である。
【図１３】ベースボタンを示す斜視図である。
【図１４】移送装置を示す底面図である。
【図１５】モーターユニットの取り付け手順を示す斜視図である。
【図１６】モーターユニットの取り付け手順を示す斜視図である。
【図１７】（ａ）（ｂ）はベースボタンの動作を示す斜視図である。
【図１８】先頭ランナーを示す正面図である。
【図１９】先頭ランナーを示す平面図である。
【図２０】先頭ランナーを示す分解斜視図である。
【図２１】先頭ランナーを示す側面図である。
【図２２】先頭ランナーの動作を示す側面図である。
【図２３】ランナー部材を示す断面図である。
【発明を実施するための形態】
【００１５】
以下、この発明を具体化した電動カーテン（電動日射遮蔽装置）の一実施形態を図面に従って説明する。図１に示す両開き型の電動カーテンは、カーテンレール１の両端部から中央部に向かってカーテン生地（日射遮蔽材）２ａ，２ｂが引き出され、あるいはカーテンレール１の中央部から両端部に向かってカーテン生地２ａ，２ｂが畳み込まれる。
【００１６】
前記カーテンレール１には一対の先頭ランナー３ａ，３ｂが移動可能に支持され、先頭ランナー３ａとカーテンレール１の右端との間に多数のランナー４ａが移動可能に支持されている。また、先頭ランナー３ｂとカーテンレール１の左端との間に多数のランナー４ｂが移動可能に支持されている。
【００１７】
そして、一方のカーテン生地２ａが先頭ランナー３ａ及びランナー４ａに吊下支持され、他方のカーテン生地２ｂが先頭ランナー３ｂ及びランナー４ｂに吊下支持されている。
前記カーテンレール１の左右両端には、移送装置５ａ，５ｂが取着され、その移送装置５ａ，５ｂにはカーテンレール１内を移動する無端状の後記移送用ベルトが掛装されている。また、カーテンレール１の右端側の移送装置５ａにはモーターユニット６が吊下支持され、モーターユニット６内に配設されたモーターの駆動力によりカーテンレール１内で移送用ベルトが移動される。
【００１８】
そして、モーターの正逆方向の回転により前記先頭ランナー３ａ，３ｂがカーテンレール１の中央部に向かって移動し、あるいはカーテンレール１の両端部に移動する。
次に、カーテンレール１の左端側の移送装置５ｂの具体的構成を図２〜図８に従って説明する。
【００１９】
図２、図６及び図８に示すように、移送装置５ｂのケース７は前後方向（カーテンの前後方向）の幅と高さが、カーテンレール１より若干大きい略長四角形の箱状に形成され、その側面は前後方向にわずかに膨らむ曲面となっている。
【００２０】
前記ケース７の基端側には、前記カーテンレール１を嵌合可能とした嵌合口８が設けられている。そして、嵌合口８にカーテンレール１が嵌合され、図４に示すように、ケース７の下面に設けられる取付溝８ａに取着される取付具９でケース７がカーテンレール１に固定されている。
【００２１】
前記ケース７の下面は、前記取付具９が取着される基端側部分を除いて開口部１０で下方に開放されている。前記ケース７の上面中央部には円筒状の軸部１１が下方へ突出され、その軸部１１の外周面には環状のベアリング１２が嵌合されている。
【００２２】
前記ベアリング１２の外周面には円筒状のプーリー１３が嵌合されている。従って、プーリー１３はベアリング１２を介して軸部１１に回転可能に支持されている。前記プーリー１３の外周面は歯車状に形成され、その外周面に合成樹脂で形成された移送用ベルト１４が掛装される。
【００２３】
この移送用ベルト１４は前記移送装置５ａに取着されるモーターユニットの動作によりカーテンレール１内を移動する無端状のベルトであり、前記プーリー１３に噛み合うタイミングベルトで構成されている。従って、プーリー１３の回転にともなって移送用ベルト１４がカーテンレール１内を移動する。
【００２４】
前記ケース７内において、前記プーリー１３の周囲には前記嵌合口８に向かって略Ｕ字状に延びる案内壁１５が形成され、プーリー１３に掛装された移送用ベルト１４は案内壁１５の内側面に沿ってカーテンレール１内に案内される。
【００２５】
前記プーリー１３の上縁には、プーリー１３の歯車部分の最大径よりわずかに大きい直径のフランジ１６が形成されている。そして、フランジ１６によりプーリー１３に掛装された移送用ベルト１４のプーリー１３の軸方向上方への位置ずれが防止されるようになっている。
【００２６】
前記プーリー１３の中心部には下方に延びる入力軸１７が設けられ、その入力軸１７の中心部には四角孔１８が設けられている。この移送装置５ｂでは四角孔１８には何も接続されないが、基本的に同一構成となる前記移送装置５ａでは、後記するように四角孔１８にモーターユニット６の出力軸が嵌合される。また、前記プーリー１３の入力軸１７の周囲、すなわちスリーブ２１との対向面にはプーリー１３の回転中心を中心とする円形の突条１９が形成されている。この突条１９は断面半円形で形成されている。
【００２７】
前記プーリー１３はケース７の下面にネジ２５で固定されるケースプレート２０でケース７に保持される。ケースプレート２０とプーリー１３との間にはスリーブ２１が介在されている。
【００２８】
前記スリーブ２１は前記プーリー１３のフランジ１６と同一径で略円盤状に形成されるとともに、その中心部に前記プーリー１３の入力軸１７を嵌挿可能とした筒部２２が形成されている。そして、スリーブ２１の筒部２２に入力軸１７を嵌挿するとプーリー１３はその突条１９の頂点でスリーブ２１とほぼ線接触で当接するので、プーリー１３とスリーブ２１との間の摩擦抵抗が軽減され、プーリー１３の回転を妨げないようにしている。
【００２９】
前記ケースプレート２０は金属板で形成されるとともに、その中央部には前記スリーブ２１の筒部２２を挿通可能とした透孔２３が形成されている。また、透孔２３の中心に対し点対称となる位置には一対の取付孔２４が形成されている。取付孔２４は透孔２３の中心に対し同心円となる線分と、透孔２３の中心に向かって延びる線分とで区切られる湾曲した透孔として形成されている。
【００３０】
この移送装置５ｂでは取付孔２４は使用されないが、前記移送装置５ａでは取付孔２４に前記モーターユニット６が支持される。
そして、前記ベアリング１２、プーリー１３、移送用ベルト１４及びスリーブ２１をケース７内に収容し、ケースプレート２０をネジ２５でケース７に取着すると、移送用ベルト１４が掛装されたプーリー１３がケース７内で回転可能に支持される。
【００３１】
前記取付具９には、カーテンレール１の端部で移動不能に固定される固定リング２６が取着され、常にはカーテン生地２ｂの上縁後端部が吊下支持されている。
図３及び図４に示すように、前記ケース７の底面先端側に設けられた収容凹部２７には２個のフック２８が収容凹部２７の深さ方向に積層した状態で保持されている。なお、収容凹部２７には収容凹部２７からの取り外し操作を容易に行うための操作凹部２７ａが収容凹部２７に交差する溝状の凹部として形成されている。
【００３２】
前記フック２８は合成樹脂で略板状に形成され、図５に示すように、上端から後方にクランク状に延びる掛止め片２９が形成されている。また、前記掛止め片２９の後面において左右方向中央には、上下方向に延びる突条３０が形成されている。
【００３３】
前記フック２８の下端部には左右両側部が前方に突出されて突出部が形成されるとともに、その突出部の前端が連結されて四角枠状の吊り下げ部３１が形成されている。そして、吊り下げ部３１にカーテン生地２ｂの後端部を吊り下げ可能となっている。
【００３４】
図７に示すように、前記ケース７の上面先端側の周縁部には、前記フック２８の掛止め片２９を上方から掛止め可能とした掛止め溝３２が形成されている。そして、掛止め片２９の突条３０に対向する掛止め溝３２の側面には、複数の突部３３が等間隔に設けられ、各突部３３間に突条３０を挿入可能となっている。
【００３５】
従って、フック２８の取付位置は、ケース７の前面から先端側の側面及び後面にかけて１０箇所設けられ、その１０箇所の中からいずれかを選択してフック２８を取付け可能となっている。
【００３６】
前記移送装置５ａ，５ｂでは、１０箇所の取付位置の中から、それぞれ前面及び側面にかけて位置する５箇所の取付位置のいずれかを選択して、フック２８が取着される。
そして、フック２８を図６及び図７に示すようにケース７に取着し、そのフック２８にカーテン生地２ｂの上縁後端部を吊下支持可能である。従って、フック２８の取付け位置を調節することにより、カーテン生地２ｂの後端部の吊り下げ位置を５段階に調節可能である。
【００３７】
前記移送装置５ｂには２個のフック２８が収容されていて、移送装置５ｂと移送装置５ａとに１つずつのフック２８を使用してカーテン生地２ａ，２ｂの後端部の吊り下げ位置を位置調節可能である。
【００３８】
また、図１４に示すように、移送装置５ｂと同様な構成の移送装置５ａにも収容凹部２７に２個の予備のフック２８を収容可能である。
前記移送装置５ｂには前記開口部１０を覆うカバー８９が取着され、前記ケースプレート２０やフック２８を収容した収容凹部２７等を覆い隠すようになっている。
【００３９】
次に、前記移送装置５ａに取着されるモーターユニット６の構成を説明する。
図９に示すように、モーターユニット６は略四角筒状のモーターケース３４内に、モーター３５と、クラッチ３６と、センサー部３７と、電源基板３８と制御基板３９、スイッチ基板４０及びモジュラー基板４１等が収容されている。
【００４０】
そして、モジュラー基板４１にケーブルを介して接続される操作スイッチ（図示しない）の操作に基づいて、制御基板３９に搭載された制御回路によりモーター３５の動作が制御される。
【００４１】
前記センサー部３７は、モーターケース３４の上端部に位置するベース部材４３に第一のフレーム４４を介して支持され、第一のフレーム４４に取着された第二のフレーム４５にモーター３５が取着されている。
【００４２】
また、第二のフレーム４５に取着された第三のフレーム４６に電源基板３８及び制御基板３９が取着されている。前記スイッチ基板４０は、カーテン生地２ａ，２ｂを移送するためにあらかじめ設定された複数の制御モードの中からいずれかのモードを設定する場合に使用される。そして、制御基板３９と所定の配線で接続されたスイッチ基板４０がユニットキャップ４７に取着され、そのユニットキャップ４７がモーターケース３４の下端に取着されている。
【００４３】
前記モーター３５の出力軸は前記クラッチ３６を介してモーターユニット６の出力軸４２に連結され、その出力軸４２はベース部材４３から上方へ突出されている。この出力軸４２は、前記移送装置５ａの四角孔１８に嵌合可能とした四角軸状に形成されている。
【００４４】
前記クラッチ３６は、出力軸４２に作用する負荷があらかじめ設定された値を超えると、モーター３５の出力軸を空回りさせて、モーター３５の破損を防止している。
前記ベース部材４３の上面には金属板で形成されたモーターブラケット４８が取着されている。このモーターブラケット４８の中央部には前記出力軸４２を挿通可能とした透孔４９が形成されている。
【００４５】
図１０に示すように、前記透孔４９の前後両側において、モーターブラケット４８の端縁には一対の係止片５０が前記透孔４９の中心に対し点対称状に形成されている。前記係止片５０は、その上端部に互いに反対方向へ水平方向に突出する突部５１が延設されている。
【００４６】
そして、係止片５０は前記出力軸４２を移送装置５ａの四角孔１８に嵌合した状態で前記ケースプレート２０の取付孔２４に挿入可能とする位置に形成されるとともに、取付孔２４に挿入可能とする長さ及び厚さで形成される。
【００４７】
従って、このようなモーターユニット６の上端に設けられた係止片５０を移送装置５ａの取付孔２４に嵌挿し、この状態で図１５及び図１６に示すように、出力軸４２を回動支点としてモーターユニット６を一方へ回動させると、係止片５０の突部５１が取付孔２４からケースプレート２０の上方に移動して、ケースプレート２０の上面に係合する。すると、モーターユニット６が移送装置５ａに吊下支持されるようになっている。
【００４８】
前記モーターユニット６の一側には、前記係止片５０の突部５１がケースプレート２０の上面に係合している状態で、移送装置５ａに対するモーターユニット６の回動を阻止するストッパー装置５２が設けられている。
【００４９】
ストッパー装置５２の具体的構成を説明すると、図１１及び図１２に示すように、前記ベース部材４３の一側にはレール部５３が形成され、そのレール部５３にベースボタン５４がベース部材４３の一側に向かって出没可能に支持されている。
【００５０】
前記ベースボタン５４の基端側には、図１３に示すように、前記レール部５３に対し相対移動可能に係合する一対の案内片５５が設けられ、その案内片５５間の溝部内には前記ベース部材４３の中央部に向かって突出するスプリング保持軸５６が形成されている。
【００５１】
前記スプリング保持軸５６にはコイルスプリング５７の一端部が保持され、そのコイルスプリング５７の他端は前記レール部５３の先端に当接している。そして、ベースボタン５４はレール部５３の先端を支点とするコイルスプリング５７の付勢力により、その先端がベース部材４３の一側から突出する方向に付勢されている。
【００５２】
前記ベースボタン５４の先端部には、図１７に示すように、前記ベース部材４３の一側に設けられる開口部４３ａに露出される操作部５８が形成されている。
前記操作部５８の先端面は、図１７に示すように、ベース部材４３の一端側側面に連なるように若干の凸曲面に形成されている。
【００５３】
前記ベースボタン５４の操作部５８の上端部には、ベースボタン５４の先端側に突出する係合突部６０が形成されている。この係合突部６０の前後方向（図１１において上下方向）の幅は、図１４に示すように、前記移送装置５ａのケース７の取付溝８ａに係合し得る幅に形成されている。
【００５４】
また、前記係合突部６０の上面先端側には、ベースボタン５４の先端に向かって下る斜面６１が形成されている。
このように構成されたモーターユニット６を移送装置５ａに取着するには、まず出力軸４２を移送装置５ａの四角孔１８に嵌合しながら、モーターユニット６のモーターブラケット４８から突出される係止片５０を、移送装置５ａの下面に露出される取付孔２４に下方から挿入する。
【００５５】
すると、図１４に示すように、ストッパー装置５２のベースボタン５４の係合突部６０が前記取付溝８ａの基端一側に設けられる凹部６２ａ内に位置する状態となる。
この状態から、モーターユニット６を図１５に示す状態から図１６に示す状態まで回動させると、係止片５０の突部５１が移送装置５ａのケースプレート２０の上面に係合して、モーターユニット６が移送装置５ａに吊下支持される。
【００５６】
同時に、ベースボタン５４の係合突部６０が押圧部６２を乗り越え、図１４及び図１７（ｂ）に示すように、コイルスプリング５７の付勢力により係合突部６０が押し出されて取付溝８ａ内に突出される。
【００５７】
この状態では、係合突部６０が取付溝８ａに係合して、移送装置５ａに対するモーターユニット６の回動が阻止され、モーターユニット６が移送装置５ａに安定して吊下支持される。
【００５８】
モーターユニット６を移送装置５ａから取り外すには、図１７（ａ）に示すように、ベースボタン５４の先端面を押圧して係合突部６０と取付溝８ａの係合を解除した状態でモーターユニット６を回動させる。そして、係止片５０の突部５１を取付孔２４から取り出し可能となるまで回動させると、モーターユニット６を移送装置５ａから取り外し可能となる。
【００５９】
次に、前記先頭ランナー３ａ，３ｂの具体的構成を説明する。先頭ランナー３ａ，３ｂは同一構成のランナーがカーテンレール１に相対向するように支持されているので、図１８に示す先頭ランナー３ａについて説明する。
【００６０】
図２０に示すように、先頭ランナー３ａは、金属板で形成される連結板６３と、一対のランナー部材６４ａ，６４ｂとランナーアーム６５及び一対のベルトジョイント６６ａ，６６ｂとで構成される。
【００６１】
ランナー部材６４ａ，６４ｂは、合成樹脂で形成された本体６７の前後両側に一対の走行ローラー６８がそれぞれ回転可能に支持されている。走行ローラー６８の回転軸の方向は、前記カーテンレールに直交する水平方向である。
【００６２】
前記走行ローラー６８は、図２１に示すように、前記カーテンレール１の下辺６９上を転動する。また、走行ローラー６８の直径はカーテンレール１内の高さ寸法より僅かに小さい寸法で形成されている。
【００６３】
前記走行ローラー６８の斜め下方において、前記本体６７には補助ローラー７０が回転可能に支持されている。補助ローラー７０の回転軸の方向は鉛直方向であり、その直径は図２１に示すように、カーテンレール１の下辺６９の開口縁７１の間隔より僅かに小さい寸法に設定されている。
【００６４】
そして、前記走行ローラー６８が下辺６９上を転動するとき、補助ローラー７０は開口縁７１に沿って転動するようになっている。
前記補助ローラー７０は、図２３に示すように、本体６７の上方から補助ローラー７０の取付位置に嵌挿されるピン７２で本体６７に回転可能に支持されている。前記ピン７２は直角に屈曲された金属製のピンである。
【００６５】
具体的には、前記本体６７にはこの先頭ランナー３ａの移動方向に沿って一側に突出する支持部７３が設けられ、その支持部７３に前記走行ローラー６８が回転可能に支持されている。
【００６６】
前記本体６７の上面には、前記ピン７２を挿入可能とした組み立て凹部７４が開口され、前記補助ローラー７０は支持部７３の下方において、前記支持部７３の突出方向と本体６７の前後両側に開口する支持凹部７５に配設されている。
【００６７】
前記組み立て凹部７４の底面及び前記支持凹部７５の下面には、補助ローラー７０の支持位置で前記ピン７２を挿通可能とした支持孔７６ａ，７６ｂが形成されている。
そして、走行ローラー６８及び補助ローラー７０を本体６７に取着するには、まず補助ローラー７０を本体６７の側方から支持凹部７５に挿入した状態で、上方から組み立て凹部７４にピン７２を挿入し、前記支持孔７６ａから，補助ローラー７０の中心部及び支持孔７６ｂに挿通する。
【００６８】
すると、補助ローラー７０が支持凹部７５内でピン７２を介して本体６７に回転可能に支持される。ピン７２はその水平部７２ａが組み立て凹部７４内に位置して、回動不能に保持される。
【００６９】
次いで、支持部７３の両側に走行ローラー６８を位置させた状態で走行ローラー６８の心軸７７を走行ローラー６８及び本体６７に挿通し、心軸７７の両端をかしめて走行ローラー６８の心軸７７からの抜けを防止する。
【００７０】
すると、走行ローラー６８が本体６７に回転可能に支持される。このとき、前記心軸７７は前記ピン７２の水平部７２ａの上方に位置し、ピン７２の上方への抜けを防止するようになっている。
【００７１】
このような組み立て手順で走行ローラー６８及び補助ローラー７０が本体６７に回転可能に支持されるランナー部材６４ａ，６４ｂが組み立てられる。
前記ランナー部材６４ａ，６４ｂの本体６７の上面において、前記走行ローラー６８が支持される支持部７３の反対側端縁に、上方へ突出するガイド突部９０がそれざれ形成されている。このガイド突部９０は、図２１に示すように、前記走行ローラー６８の高さと等しい高さとなるように形成されている。
【００７２】
前記ランナー部材６４ａ，６４ｂと連結板６３とランナーアーム６５を組み立てるには、まずランナー部材６４ａ，６４ｂを前記連結板６３に上方から嵌合する。具体的には、連結板６３の中央部に上方に突出する一対の嵌合片７８が形成され、ランナー部材６４ａ，６４ｂの本体６７には下方から嵌合片７８を嵌合可能とした嵌合孔７９が形成されている。
【００７３】
そして、嵌合孔７９に嵌合片７８を嵌合すると、ランナー部材６４ａ，６４ｂが連結板６３に保持される。
次いで、本体６７の下部に設けられた挿通孔８０と、前記ランナーアーム６５の基端部に設けられた挿通孔８１と、連結板６３に設けられたネジ孔８２を位置合わせし、ネジ８３を挿通孔８１から挿通孔８０を経て本体６７内に位置する連結板６３のネジ孔８２に螺入して、本体６７を貫通させる。
【００７４】
すると、ランナー部材６４ａ，６４ｂが連結板６３を介してランナーアーム６５に固定されて、先頭ランナー３ａが形成される。
前記ランナー部材６４ａ，６４ｂの各本体６７には前記走行ローラー６８の側方に保持孔８４が形成され、前記ベルトジョイント６６ａ，６６ｂの取付軸８５が嵌合されて保持されるようになっている。ベルトジョイント６６ａ，６６ｂは、取付軸８５の先端部にベルト保持部８６が設けられている。
【００７５】
このベルト保持部８６は、取付軸８５の先端に設けられた第一の狭着片８７と、その第一の狭着片８７に着脱可能に嵌着される第二の狭着片８８とで前記移送用ベルト１４を狭着保持可能である。
【００７６】
そして、この先頭ランナー３ａのベルトジョイント６６ａ，６６ｂで移送用ベルト１４の両端部をそれぞれ保持し、ベルトジョイント６６ａ，６６ｂの取付軸８５を本体６７の保持孔８４に嵌合することにより、無端状の移送用ベルト１４が形成される。先頭ランナー３ｂではベルトジョイント６６ａ，６６ｂで移送用ベルト１４の中間部が保持されている。
【００７７】
無端状の移送用ベルト１４は、カーテンレール１の両端部で移送装置５ａ，５ｂ内のプーリー１３にそれぞれ掛装され、前記モーター３５の動作に基づいて移送装置５ａ，５ｂ間を移送される。
【００７８】
このような構成により、モーター３５の動作に基づいてカーテンレール１内で移送用ベルト１４が移送されると、先頭ランナー３ａ，３ｂが互いに近づく方向あるいは互いに遠ざかる方向に移動される。先頭ランナー３ａ，３ｂが互いに近づく方向に移送されると、カーテン生地２ａ，２ｂがカーテンレール１の中央部に引き出され、先頭ランナー３ａ，３ｂが互いに遠ざかる方向に移送されると、カーテン生地２ａ，２ｂがカーテンレール１の両端部に向かって畳み込まれる。
【００７９】
カーテン生地２ａ，２ｂの移送中に、カーテン生地２ａ，２ｂから先頭ランナー３ａ，３ｂに作用する負荷により、図２２に示すように、先頭ランナー３ａ，３ｂがカーテンレール１の前後方向に傾くと、補助ローラー７０がカーテンレール１の開口縁に当接する。そして、一方の走行ローラー６８及びガイド突部９０がカーテンレール１の天井面に当接して、本体６７の傾きが抑制される。
【００８０】
この実施形態では、ランナー部材６４ａ，６４ｂの本体６７の中心線と鉛直線との挟み角αが最大２．８度となるように設定されている。
このような動作により、先頭ランナー３ａ，３ｂに負荷が作用して本体６７が傾いても、補助ローラー７０が開口縁７１に当接して転動するとともに、走行ローラー６８の一方がカーテンレール１の天井面に当接して転動する。
【００８１】
また、図１９に示すように、カーテンレール１が湾曲していても、先頭ランナー３ａ，３ｂは補助ローラー７０がカーテンレール１の開口縁７１に当接しながら転動する。
従って、先頭ランナー３ａ，３ｂは負荷により本体６７が傾いても、あるいはカーテンレール１が湾曲していても、先頭ランナー３ａ，３ｂはカーテンレール１内を円滑に移動する。
【００８２】
また、先頭ランナー３ａ，３ｂで、ランナーアーム６５の先端に作用するカーテン生地２ａ，２ｂの重量が増大すると、先頭ランナー３ａ，３ｂで先頭側に位置するランナー部材６４ａを支点として、後方に位置するランナー部材６４ｂがカーテンレール１の下辺６９から浮き上がろうとする。しかし、図１８に鎖線で示すように、ランナー部材６４ｂの走行ローラー６８はカーテンレール１の天井面に直ちに当接するため、カーテンレール１内を円滑に移動する。
【００８３】
このとき、ランナー部材６４ｂの走行ローラー６８とともにガイド突部９０も天井面に当接するため、ランナー部材６４ｂの浮き上がりが抑制され、ランナーアーム６５の傾きが抑制される。
【００８４】
上記のように構成された電動カーテンの移送用ベルトの移送装置では、次に示す効果を得ることができる。
（１）カーテンレール１の両端部に取着された移送装置５ａ，５ｂ間で移送用ベルト１４をカーテンレール１内で移送可能とし、一方の移送装置５ａに取着されたモーターユニット６の動作により移送用ベルト１４を移送して、先頭ランナー３ａ，３ｂを移送することができる。そして、先頭ランナー３ａ，３ｂの移動により、カーテン生地２ａ，２ｂの引き出し及び畳み込みを行うことができる。
（２）移送装置５ａ，５ｂにはプーリー１３が回転可能に支持され、そのプーリー１３に移送用ベルト１４が掛装される。プーリー１３の上縁には、プーリー１３の歯車部分の最大径よりわずかに大きい直径のフランジ１６が形成されているので、移送用ベルト１４のプーリー１３から上方へのずれを防止することができる。
（３）プーリー１３の下縁はスリーブ２１を介してケースプレート２０に支持され、スリーブ２１の外周部により移送用ベルト１４のプーリー１３から下方へのずれを防止することができる。
（４）プーリー１３に掛装される移送用ベルト１４の周囲に案内壁１５を設けたので、カーテンレール１とプーリー１３との間で移送用ベルト１４を安定して案内することができる。
（５）プーリー１３は、入力軸１７の周囲に設けた突条１９を介してスリーブ２１と接触するので、プーリー１３とスリーブ２１との接触面積を少なくして、プーリー１３に作用する摩擦抵抗を削減することができる。
（６）プーリー１３の内周側に配設されるベアリング１２でプーリー１３をケース７に回転可能に支持することができる。従って、１つのベアリング１２でプーリー１３を回転可能に支持することができるので、部品コストを低減することができる。
【００８５】
上記実施形態は、以下の態様で実施してもよい。
・上記移送装置を縦型ブラインドのスラットを移送する移送装置として使用してもよい。
【符号の説明】
【００８６】
１…レール（カーテンレール）、２ａ，２ｂ…日射遮蔽材（カーテン生地）、３ａ，３ｂ…ランナー（先頭ランナー）、５ａ，５ｂ…移送装置、６…モーターユニット、７…ケース、１０…開口部、１３…プーリー、１４…ベルト（移送用ベルト）、１５…案内壁、１６…フランジ、１９…突条、２０…ケースプレート、２１…スリーブ、４２…出力軸。
【図１】
0005996212.tif 000002
【図２】
0005996212.tif 000003
【図３】
0005996212.tif 000004
【図４】
0005996212.tif 000005
【図５】
0005996212.tif 000006
【図６】
0005996212.tif 000007
【図７】
0005996212.tif 000008
【図８】
0005996212.tif 000009
【図９】
0005996212.tif 000010
【図１０】
0005996212.tif 000011
【図１１】
0005996212.tif 000012
【図１２】
0005996212.tif 000013
【図１３】
0005996212.tif 000014
【図１４】
0005996212.tif 000015
【図１５】
0005996212.tif 000016
【図１６】
0005996212.tif 000017
【図１７】
0005996212.tif 000018
【図１８】
0005996212.tif 000019
【図１９】
0005996212.tif 000020
【図２０】
0005996212.tif 000021
【図２１】
0005996212.tif 000022
【図２２】
0005996212.tif 000023
【図２３】
0005996212.tif 000024